(57)【要約】【課題】ストラップを取り付けた状態での操作性を向上させる。【解決手段】ストラップ取付部５０１４のストラップ挿通孔８００４は、上面５００６の延在方向と直交する方向において互いに対向する側部壁面８００６と、２つの開口８００２の互いに近づいた縁を接続する上部壁面８００８と、２つの開口８００２の互いに離れた縁を接続する底部壁面８０１０とを有している。対向する側部壁面８００６間の寸法および対向する側部壁面８００６のストラップ挿通孔８００４の延在方向に沿った長さは、ストラップ７０の幅方向の両側が側部壁面８００６に当接してストラップ７０を上面５００６の延在方向（右方向）に沿って延在させる寸法で形成されている。【選択図】        図１７
2006050133.tif 000002
【特許請求の範囲】
【請求項１】
厚さおよび厚さと直交する左右幅ならびに上下長さを有するケースと、
前記ケースの厚さ方向の一方の面をなす外面に設けられたレンズ鏡筒と、
前記ケースの上端で前記外面に直交し左右方向に延在する上面に設けられたストラップ取付部と、
前記ストラップ取付部に設けられたストラップを備え、
前記ストラップは厚さと、前記厚さよりも大きい寸法の幅と、前記幅よりも大きい寸法の長さとを有して帯状に形成された撮像装置であって、
前記ストラップ取付部は、前記ケースの上面で前記上面の延在方向に間隔をおいて２つの開口が形成されるように前記上面の延在方向に沿って延在するストラップ挿通孔を有し、
前記ストラップ挿通孔は、前記上面の延在方向と直交する方向において互いに対向する側部壁面を有し、
前記対向する側部壁面間の寸法および前記対向する側部壁面のストラップ挿通孔の延在方向に沿った長さは、前記ストラップの幅方向の両側が前記側部壁面に当接して前記ストラップを前記上面の延在方向に沿って延在させる寸法で形成されている、
ことを特徴とする撮像装置。
【請求項２】
前記対向する側部壁面間の寸法は、前記ストラップの幅方向の両側が前記側部壁面に当接して前記ストラップが前記上面の延在方向に沿って延在するように、前記ストラップの幅よりも僅かに大きい寸法で形成されていることを特徴とする請求項１記載の撮像装置。
【請求項３】
前記対向する側部壁面のストラップ挿通孔の延在方向に沿った長さは、前記ストラップの幅方向の両側が前記側部壁面に当接して前記ストラップが前記上面の延在方向に沿って延在するように、前記ストラップの幅以上の寸法で形成されていることを特徴とする請求項１記載の撮像装置。
【請求項４】
前記ストラップ取付部は、前記ケースの上面から膨出し前記上面の延在方向に延在する膨出部を有し、前記ストラップ挿通孔は前記膨出部の内部を延在し、前記２つの開口は、前記膨出部の延在方向に間隔をおいた箇所に形成されていることを特徴とする請求項１記載の撮像装置。
【請求項５】
前記対向する側部壁面は、互いに平行する平面で形成されていることを特徴とする請求項１記載の撮像装置。
【請求項６】
前記対向する側部壁面はそれぞれ平面で形成され、前記対向する側部壁面間は、前記ストラップ挿通孔の延在方向の中央部から離れるにつれて次第に大きくなる寸法で形成されていることを特徴とする請求項１記載の撮像装置。
【請求項７】
前記ストラップ挿通孔は、前記２つの開口の互いに近づいた縁を接続する上部壁面と、前記２つの開口の互いに離れた縁を接続する底部壁面とを有し、前記対向する側部壁面は、平面で形成され、前記底部壁面は、前記側部壁面に直交する面で形成されていることを特徴とする請求項１記載の撮像装置。
【請求項８】
前記ストラップ取付部は、前記２つの開口の間に位置する係止壁を有し、前記ストラップは前記ストラップ挿通孔に挿通され前記係止壁に巻装されることを特徴とする請求項１記載の撮像装置。
【請求項９】
前記ストラップ挿通孔は、前記２つの開口の互いに近づいた縁を接続する上部壁面と、前記２つの開口の互いに離れた縁を接続する底部壁面とを有し、前記対向する側部壁面は、平面で形成され、前記底部壁面は、前記側部壁面に直交する面で形成され、前記ストラップ取付部は、前記２つの開口の間に位置する係止壁を有し、前記底部壁面に前記ケースの側面に対して傾斜し前記ストラップが前記ストラップ挿通孔に挿通され前記係止壁に巻装された状態で前記ストラップを前記ケースの上面の延在方向のうちの一方に位置させる傾斜部が設けられていることを特徴とする請求項１記載の撮像装置。
【請求項１０】
前記ストラップ挿通孔は、前記２つの開口の互いに近づいた縁を接続する上部壁面と、前記２つの開口の互いに離れた縁を接続する底部壁面とを有し、前記対向する側部壁面は、平面で形成され、前記底部壁面は、前記側部壁面に直交する面で形成され、前記ストラップ取付部は、前記２つの開口の間に位置する係止壁を有し、前記底部壁面に前記ケースの上面に対して傾斜し前記ストラップが前記ストラップ挿通孔に挿通され前記係止壁に巻装された状態で前記ストラップを前記ケースの上面の延在方向のうちの一方に位置させる傾斜部が設けられ、前記係止壁は前記２つの開口のうち前記ケースの上面の延在方向のうちの他方に位置する開口寄りに設けられていることを特徴とする請求項１記載の撮像装置。
【請求項１１】
前記ストラップ挿通孔は、前記２つの開口の互いに近づいた縁を接続する上部壁面と、前記２つの開口の互いに離れた縁を接続する底部壁面とを有し、前記対向する側部壁面は、平面で形成され、前記底部壁面は、前記側部壁面に直交する面で形成され、前記ストラップ取付部は、前記２つの開口の間に位置する係止壁を有し、前記底部壁面に前記ケースの上面に対して傾斜し前記ストラップが前記ストラップ挿通孔に挿通され前記係止壁に巻装された状態で前記ストラップを前記ケースの上面の延在方向のうちの一方に位置させる傾斜部が設けられ、前記２つの開口のうち前記ケースの上面の延在方向のうちの一方に位置する開口の前記ストラップ挿通孔の延在方向に沿った長さは、前記ケースの上面の延在方向のうちの他方に位置する開口の長さよりも大きな寸法で形成されていることを特徴とする請求項１記載の撮像装置。
【請求項１２】
前記ストラップ挿通孔は、前記２つの開口の互いに近づいた縁を接続する上部壁面と、前記２つの開口の互いに離れた縁を接続する底部壁面とを有し、前記対向する側部壁面は、平面で形成され、前記底部壁面は、前記側部壁面に直交する面で形成され、前記２つの開口はそれぞれ前記上部壁面と互いに対向する側部壁面と底部壁面とにより矩形に形成されていることを特徴とする請求項１記載の撮像装置。
【請求項１３】
前記ケースは左右幅よりも上下長さが大きい上下に縦長の矩形板状に形成され、前記レンズ鏡筒は前記外面の上部に設けられていることを特徴とする請求項１記載の撮像装置。
【請求項１４】
前記ケースは前記レンズ鏡筒が設けられ厚さおよび厚さと直交する左右幅ならびに上下長さを有する本体側ケースと、前記レンズ鏡筒で撮像された画像を表示するモニタが設けられ厚さおよび厚さと直交する左右幅ならびに上下長さを有するモニタ側ケースとを備え、前記レンズ鏡筒は、前記本体側ケースの厚さ方向の一方の面をなす外面に設けられ、前記本体側ケースとモニタ側ケースとは、前記本体側ケースの厚さ方向の他方の面をなす内面と、前記モニタ側ケースの厚さ方向の一方の面をなす内面とが合わされそれら本体側ケースとモニタ側ケースの輪郭が合わされた状態から前記厚さ方向に延在する第１の支軸を介して前記本体側ケースに対して前記モニタ側ケースが前記本体側ケースの幅方向の一方に揺動できるように結合され、前記ストラップ取付部は、前記本体側ケースの上端で前記外面に直交し左右方向に延在する上面に設けられ、前記ストラップ挿通孔は、前記２つの開口の互いに近づいた縁を接続する上部壁面と、前記２つの開口の互いに離れた縁を接続する底部壁面とを有し、前記対向する側部壁面は平面で形成され、前記底部壁面は、前記側部壁面に直交する面で形成され、前記ストラップ取付部は、前記２つの開口の間に位置する係止壁を有し、前記底部壁面に前記本体側ケースの上面に対して傾斜し前記ストラップが前記ストラップ挿通孔に挿通され前記係止壁に巻装された状態で前記ストラップを前記本体側ケースの幅方向の他方に位置させる傾斜部が設けられていることを特徴とする請求項１記載の撮像装置。
【発明の詳細な説明】
【技術分野】
【０００１】
本発明は撮像装置に関する。
【背景技術】
【０００２】
デジタルスチルカメラなどの撮像装置においては、多くの場合、撮像装置のケースに設けられたストラップ取付部にネックストラップあるいはハンドストラップなどのストラップを取り付けて撮像装置を保持するようにしている（例えば特許文献１、２参照）。
【特許文献１】特許第３１８６１８４号公報
【特許文献２】特開２００２−３５０９５３号公報
【発明の開示】
【発明が解決しようとする課題】
【０００３】
ところで、撮像装置に取り付けられたネックストラップを首に掛けたままで撮影を行う際、ネックストラップでぶら下げられた撮像装置を手で保持して顔の前まで持ち上げると、ネックストラップは当然たるみを生じ、撮像装置のケース上に垂れ下がることになる。
この場合、ネックストラップが撮像装置のレンズ鏡筒の前方に位置したり、あるいは、撮像装置の表示部の表示面上に位置してしまうと、撮影に支障をきたすため、ユーザーはネックストラップを手でつまんでレンズ鏡筒の前方あるいは表示面上から外さなくてはならず、繁雑で使い勝手が悪いものとなっている。
このような問題はハンドストラップの場合にも同様に生じる。
本発明はこのような事情に鑑みなされたもので、その目的はストラップを取り付けた状態での操作性を向上させる上で有利な撮像装置を提供することにある。
【課題を解決するための手段】
【０００４】
上述の目的を達成するため本発明は、厚さおよび厚さと直交する左右幅ならびに上下長さを有するケースと、前記ケースの厚さ方向の一方の面をなす外面に設けられたレンズ鏡筒と、前記ケースの上端で前記外面に直交し左右方向に延在する上面に設けられたストラップ取付部と、前記ストラップ取付部に設けられたストラップを備え、前記ストラップは厚さと、前記厚さよりも大きい寸法の幅と、前記幅よりも大きい寸法の長さとを有して帯状に形成された撮像装置であって、前記ストラップ取付部は、前記ケースの上面で前記上面の延在方向に間隔をおいて２つの開口が形成されるように前記上面の延在方向に沿って延在するストラップ挿通孔を有し、前記ストラップ挿通孔は、前記上面の延在方向と直交する方向において互いに対向する側部壁面を有し、前記対向する側部壁面間の寸法および前記対向する側部壁面のストラップ挿通孔の延在方向に沿った長さは、前記ストラップの幅方向の両側が前記側部壁面に当接して前記ストラップを前記上面の延在方向に沿って延在させる寸法で形成されていることを特徴とする。
【発明の効果】
【０００５】
そのため、本発明によれば、ストラップ取付部の対向する側部壁面間の寸法および対向する側部壁面のストラップ挿通孔の延在方向に沿った長さは、ストラップをストラップ取付部からケースの上面の延在方向に延在させる寸法で形成されているので、ストラップは、ケースの上面の延在方向に沿って延在し、この上面に連なる両側のケース側面の何れか一方の外側に位置することになる。
したがって、ストラップがケースの厚さ方向の一方の面側に垂れ下がってレンズ鏡筒の前方などに位置することが確実に防止されストラップが撮影の邪魔になることがなく操作性を向上させる上で有利となる。
【発明を実施するための最良の形態】
【０００６】
ストラップを取り付けたままで撮影を行う場合の使い勝手を向上させるという目的を、ストラップ取付部を構成するストラップ挿通孔の対向する側部壁面間の寸法および対向する側部壁面のストラップ挿通孔の延在方向に沿った長さを、ストラップの幅方向の両側が側部壁面に当接してストラップを上面の延在方向に沿って延在させる寸法で形成することによって実現した。
【実施例１】
【０００７】
次に本発明の実施例１について図面を参照して説明する。
図１（Ａ）は実施例１の撮像装置の正面図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図、図２（Ｆ）は図１（Ｃ）のＦ矢視図、（Ｇ）は（Ｆ）におけるモニタ側ケースが９０度揺動された状態を示す図である。
図３（Ａ）は実施例１の撮像装置を斜め前方から見た斜視図、（Ｂ）は（Ａ）のＢ部分の拡大斜視図、図４は実施例１の撮像装置を斜め前方から見た斜視図、図５は図３を正面から見た正面図、図６は図３を背面から見た背面図、図７は図３を斜め後方から見た斜視図、図８は図３を斜め後方から見た斜視図、図９（Ａ）、（Ｂ）はモニタ側ケースを回動した状態を示す説明図、図１０（Ａ）、（Ｂ）は本体側ケース用の保護部材の説明図、図１１（Ａ）、（Ｂ）はモニタ側ケースの斜視図、図１２は撮像装置の制御系を示すブロック図である。
【０００８】
図１２に示すように、本実施例の撮像装置１００は、撮影光学系１４が組み込まれたレンズ鏡筒１０と、撮影光学系１４によって結像された被写体像を撮像するＣＣＤやＣＭＯＳセンサなどで構成された撮像素子１５０などを備え、撮像装置１００は、撮像素子１５０から出力された撮像信号に基づいて画像データを生成し、記憶媒体１５２に記録する画像処理部１５４、前記画像データを表示パネル１２６に表示させる表示処理部１５６、撮影光学系１４の撮影倍率を変化させるズーム駆動部１５８、制御部１６０などを備えている。
制御部１６０は、シャッターボタン１１０、操作スイッチ１１２、撮影開始／停止ボタン１１４、十字キースイッチ１１６、複数の操作スイッチ１１８、リセットスイッチ１２０、複数の操作スイッチ１２８の操作に基づいて画像処理部１５４、表示処理部１５６、ズーム駆動部１５８を制御するＣＰＵなどを含んでいる。
【０００９】
図１、図２に示すように、撮像装置１００は、外装を構成する本体側ケース５０とモニタ側ケース６０を備えている。なお、本明細書において本体側ケース５０の左右は本体側ケース５０を後方から見た状態でいうものとする。
本体側ケース５０は、前後方向の厚さと、該厚さよりも大きい寸法の左右方向の幅と、該幅よりも大きい寸法の上下方向の長さを有する細長形状を呈し、本実施例では細長の矩形板状を呈している。
モニタ側ケース６０は、前後方向の厚さと、該厚さよりも大きい寸法の左右方向の幅と、該幅よりも大きい寸法の上下方向の長さを有する細長の矩形板状を呈し、本実施例では本体側ケース５０と等しい寸法の幅と長さで形成されている。
図２に示すように、本体側ケース５０とモニタ側ケース６０とは本体側ケース５０の厚さ方向の一方の面である内面とモニタ側ケース６０の一方の面である内面とが合わされてその厚さ方向に延在する第１の支軸Ｘ１の回りに揺動可能に結合されている。
本体側ケース５０とモニタ側ケース６０は、図２（Ｆ）に示すように、それらの長さ方向を合致させた非使用位置（イ）と、図２（Ｇ）に示すように、それらの長さ方向のなす角度が９０度となる使用位置（ロ）との間で第１の支軸Ｘ１を中心に揺動可能である。
本実施例では、モニタ側ケース６０は、非使用位置（イ）で、本体側ケース５０の輪郭と重なるように構成されている。
モニタ側ケース６０は、第１の支軸Ｘ１が位置する第１ケース６２と、前記長さ方向に延在する第２の支軸Ｘ２を介して第１ケース６２に対して第２の支軸Ｘ２の回りに揺動可能に結合された第２ケース６４とでその長さ方向に分割されて構成されている。
【００１０】
図３〜図５に示すように、本体側ケース５０は、厚さ方向の一方の面をなす内面５００４と、厚さ方向の他方の面をなす外面５００２と、長さ方向の一方の端面をなす上面５００６と、長さ方向の他方の端面をなす下面５００８と、幅方向の一方の側面をなす左側面５０１０、幅方向の他方の側面をなす右側面５０１２とを有している。
本体側ケース５０の外面５００２の上部の幅方向中央には、前方に臨ませてレンズ鏡筒１０が設けられている。
レンズ鏡筒１０は、鏡筒１２と、鏡筒１２に保持された撮影光学系１４と、撮像素子３０（図１２参照）とを含んで構成され、本実施例では撮影光学系１４は撮影倍率（ズーム比）が広角側と望遠側の間で連続的に可変されるズーミングレンズとして構成されている。
本体側ケース５０の外面５００２上部の右寄りの箇所には閃光を発光するフラッシュ部１０６、測距用の補助光を発光する発光部１０８が設けられている。
本体側ケース５０の上面５００６には、ストラップ取付部５０１４が設けられている。
図１（Ｅ）に示すように、本体側ケース５０の下面５００８の左寄り箇所には三脚取り付けねじ５０１６が設けられている。三脚取り付けねじ５０１６の右側にはバッテリー収容室（不図示）が配設されその開口を開閉する開閉蓋５０１８が設けられている。
図３に示すように、本体側ケース５０の左側面５０１０の下部寄りの箇所には、外部装置との間で信号を授受するためのコネクタ（不図示）を収容する凹部５０１９が設けられ、該凹部を開閉する開閉蓋５０２３が設けられている。
【００１１】
図６、図７に示すように、使用位置（ロ）で、非使用位置（イ）において第２ケース６４が合わされた本体側ケース５０の内面５００４の箇所と、非使用位置（イ）において第１ケース６２の幅方向の一方の側部が合わされた本体側ケース５０の内面５００４の箇所とが露出し、これらの箇所は、本体側ケース５０の外縁に位置する外縁部５０２０とこの外縁部５０２０の内側に該外縁部５０２０よりも低い高さで設けられた底面部５０２２とで構成され、底面部５０２２には撮像装置１００の動作にまつわる操作部材が設けられている。
詳細に説明すると、非使用位置（イ）において第２ケース６４が合わされる本体側ケース５０の内面５００４箇所は、使用位置（ロ）において露出し、この露出する箇所の底面部５０２２には、静止画を撮影する際に操作するシャッターボタン１１０と、撮影光学系１４のズーム操作を行うための操作スイッチ１１２と、動画を撮影する際に操作する撮影開始／停止ボタン１１４がこの順番で左から右に向かって並べられている。
また、前記露出する底面部５０２２の下部には、静止画あるいは動画の撮影および再生にまつわる操作を行う十字キースイッチ１１６、複数の操作スイッチ１１８が設けられている。
また、非使用位置（イ）において第１ケース６２の幅方向の一方の側部が合わされた本体側ケース５０の内面５００４の箇所は使用位置（ロ）で露出し、この露出する底面部５０２２の箇所には、すなわち、本体側ケース５０の内面５００４の上部右寄り箇所には、この撮像装置１００の制御を司る制御部１３６（図１２参照）の動作を強制的に初期化する際に使用されるリセットスイッチ１２０が設けられている。
以下では、これらシャッターボタン１１０、操作スイッチ１１２、撮影開始／停止ボタン１１４、十字キースイッチ１１６、複数の操作スイッチ１１８、リセットスイッチ１２０を操作部材という。
すなわち、本実施例では、図６、図７に示すように、非使用位置（イ）において第２ケース６４が合わされる本体側ケース５０の内面５００４箇所で、使用位置（ロ）において露出し、この露出する箇所に、シャッターボタン１１０、操作スイッチ１１２、撮影開始／停止ボタン１１４、十字キースイッチ１１６、複数の操作スイッチ１１８が設けられているので、モニタ側ケース６０を非使用位置（イ）に位置させた状態でこれらの操作部材がモニタ側ケース６０により覆われ、誤操作が確実に防止されるようになっている。
また、非使用位置（イ）において第１ケース６２の幅方向の一方の側部が合わされた本体側ケース５０の内面５００４の箇所で使用位置（イ）で露出する本体側ケース５０の内面５００４の上部右寄り箇所にデッドスペースが生じるが、このようなデッドスペースにリセットスイッチ１２０などの操作部材を設けることでデッドスペースを有効利用し、撮像装置１００の小型化を図っている。
【００１２】
図６〜図９（Ａ）、（Ｂ）に示すように、外縁部５０２０は、底面部５０２２よりも突出形成され、底面部５０２２は外縁部５０２０よりも低い平坦な平面として形成され、この底面部５０２２と外縁部５０２０とは湾曲面で接続されている。
また、本実施例では、外縁部５０２０は本体側ケース５０とは別の部材により形成され、本体側ケース５０の内面の外縁に設けられた溝に挿入され固定されている。この外縁部５０２０を構成する部材は、図１０（Ａ）、（Ｂ）に示すように、摩擦係数が低くかつ柔軟性を有するエストラマーで構成された第１の縁部材５２０２と、ＡＢＳ樹脂で構成された第２の縁部材５２０４とが重ね合わされて前記第１の縁部材５２０２が内面５００４に突出するように前記溝に例えば接着剤などにより接着されることで配置されている。
外縁部５０２０は、この外縁部５０２０に臨むモニタ側ケース６０の部分、すなわち第２ケース６４の内面６４０４に接触することで、モニタ側ケース６０の回動を円滑に案内し、また、モニタ側ケース６０と本体側ケース５０の損傷を防止している。
また、内面５００４に設けられたシャッターボタン１１０、操作スイッチ１１２、撮影開始／停止ボタン１１４、十字キースイッチ１１６、複数の操作スイッチ１１８の先端は外縁部５０２０よりも低い位置に位置するように設けられており、モニタ側ケース６０の内面６００４および外面６００２と接触して互いに損傷することが防止されている。
【００１３】
図２に示すように、モニタ側ケース６０はその長さ方向に分割され第１の支軸Ｘ１が通る第１ケース６２と、第１ケース６２に対してその長さ方向に延在する第２の支軸Ｘ２の回りに揺動可能に結合された第２ケース６４とで構成され、本実施例では第２の支軸Ｘ２は第１ケース６２および第２ケース６４の幅方向の中央を通るように設けられている。
第１ケース６２は、厚さ方向の一方の面をなす内面６２０２と、厚さ方向の他方の面をなす外面６２０４と、長さ方向の一方の端面をなす上面６２０６と、長さ方向の他方の端面をなす下面６２０８と、幅方向の一方の側面をなす左側面６２１０と、幅方向の他方の側面をなす右側面６２１２とを有している。
第２ケース６４は、厚さ方向の一方の面をなす内面６４０２と、厚さ方向の他方の面をなす外面６４０４と、長さ方向の一方の端面をなす上面６４０６と、長さ方向の他方の端面をなす下面６４０８と、幅方向の一方の側面をなす左側面６４１０と、幅方向の他方の側面をなす右側面６４１２とを有している。
第１ケース６２と第２ケース６４は同じ寸法の幅を有し、かつ、第２ケース６４の長さが第１ケース６２の長さよりも大きい寸法で形成されている。
第１ケース６２が第２ケース６４に臨む端部すなわち下面６２０８と、第２ケース６４が第１ケース６２に臨む端部すなわち上面６４０６は、非使用位置（イ）において、前後方向から見て共に前記幅方向に沿って直線状に延在している。
【００１４】
図２（Ａ）に示すように、第１ケース６２の外面６２０４には、録音用のマイク１２２が外方に臨ませて設けられている。
図２（Ａ）、図３に示すように、第１ケース６２の左側面６２１０には、メモリカードから構成される記憶媒体１５２を装脱するメモリカードスロット１２４が設けられている。
図２、図６〜図８に示すように、第２ケース６４の内面６４０２には、長方形板状の表示パネル１２６が長辺を第２ケース６４の長さ方向と平行させ、短辺を第２ケース６４の幅方向と平行させた状態で設けられている。
表示パネル１２６は、例えば液晶表示器で構成され、レンズ鏡筒１０で撮像した静止画および動画などの画像や文字や記号などが表示される長方形状の表示面１２６Ａを第２ケース６４の内面６４０２に開設された矩形状の開口を介して第２ケース６４の外方に臨ませて配設されている。
図２（Ｇ）に示すように、第２ケース６４の内面６４０２のうち下部寄り箇所には幅方向に沿って、撮影あるいは画像の再生にまつわる操作を行うための複数の操作スイッチ１２８が設けられている。
図２（Ｆ）に示すように、第２ケース６４の外面６４０４にはスピーカー１３０が設けられている。
図１１に示すように、第２ケース６４のうち、下面６４０８の幅方向の両側に位置する隅部６４２０は、少なくとも、合成樹脂材料で構成され、本体側ケース５０の内面５００４に接触しても損傷を与えないように構成されている。
【００１５】
次に、本体側ケース５０とモニタ側ケース６０について詳細に説明する。
図２（Ｆ）、（Ｇ）に示すように、第１の支軸Ｘ１は本体側ケース５０およびモニタ側ケース６０の長さ方向の一方の端部寄り箇所、すなわち上面５００６、６２０６寄り箇所に設けられている。
そして、使用位置（ロ）でモニタ側ケース６０の幅方向の一方に位置する側部（左側面６２１０）と本体側ケース５０の長さ方向の一方に位置する端部（上面５００６）とが、前後方向から見てそれらの輪郭が重なるように構成されている。
また、第１の支軸Ｘ１は、使用位置（ロ）で第２ケース６４が本体側ケース５０の幅方向の一方に位置する側部（左側面５０１０）の外側に位置するように本体側ケース５０の幅方向の中心から幅方向の一方に位置する側部（左側面５０１０）寄りに変位した箇所に位置し、第１の支軸Ｘ１を本体側ケース５０の幅方向の中心に設けた場合に比べて、第２ケース６４の長さ方向の寸法を大きく設定できるようにし、本体側ケース５０およびモニタ側ケース６０の小型化を図りつつ表示パネル１２６の表示面１２６Ａの占有スペースを大きく確保するようにしている。
また、使用位置（ロ）で第２ケース６４に臨む第１ケース６２の端部（上面５００６）は、本体側ケース５０の幅方向の一方に位置する側部（左側面５０１０）の外側に位置し、第２ケース６４に臨む第１ケース６２の端部を除く第１ケース６２の残りの部分は本体側ケース５０上に位置している。
【００１６】
次に本発明の特徴部分であるストラップ取付部５０１４について説明する。
図１３はストラップ取付部にストラップを取り付ける際の説明図、図１４はストラップ取付部にストラップが取り付けられた状態を斜め前方から観た斜視図、図１５はストラップ取付部にストラップが取り付けられた状態を斜め後方から観た斜視図、図１６はストラップ取付部の拡大斜視図、図１７はストラップ取付部の断面図である。
図１３〜図１６に示すように、ストラップ取付部５０１４は、ネックストラップあるいはハンドストラップなどのストラップ７０を取り付けるものである。
図１３に示すように、ストラップ７０は、厚さと、前記厚さよりも大きい寸法の幅と、前記幅よりも大きい寸法の長さとを有して帯状に形成されている。
ストラップ７０は、その長さ方向の一端と長さ方向の中間部分が第１留め具７００２によって結合されることで第１の環状部分７００４が形成され、第１留め具７００２から導出されたストラップ７０の部分にはストラップ７０の他端７００６を固定するための第２留め具７００８が設けられ、第２留め具７００８の先部に第２の環状部分７０１０が形成されるように構成されている。
【００１７】
図１３、図１７に示すように、ストラップ取付部５０１４は、本体側ケース５０の上面５００６に設けられている。
本実施例では、本体側ケース５０の上面５００６の延在方向（左右方向）の中央および厚さ方向の中央に上面５００６から膨出し左右方向に延在する膨出部８０が設けられ、この膨出部８０にストラップ取付部５０１４が設けられている。
ストラップ取付部５０１４は、膨出部８０の上面８００１の延在方向に間隔をおいて２つの開口８００２が形成されるように膨出部８０の内部を延在するストラップ挿通孔８００４を有し、また、２つの開口８００２の間に位置する係止壁８０１２を有している。
ストラップ挿通孔８００４は、上面５００６の延在方向と直交する方向である上面５００６の幅方向（本体側ケース５０の厚さ方向）において互いに対向する側部壁面８００６と、２つの開口８００２の互いに近づいた縁を接続する上部壁面８００８と、２つの開口８００２の互いに離れた縁を接続する底部壁面８０１０とを有している。
対向する側部壁面８００６は、平面で形成され、本実施例では互いに平行する平面で形成されている。
上部壁面８００８と底部壁面８０１０は、側部壁面８００６に直交する面で形成され、２つの開口８００２はそれぞれ上部壁面８００８と両側の側部壁面８００６と底部壁面８０１０とにより矩形に形成されている。
【００１８】
本実施例では、第２の環状部分７０１０が係止壁８０１２に巻装された状態で図１４、図１５に示すようにストラップ７０を常時上面５００６の延在方向に沿って延在させるように次のように構成されている。より詳細には、ストラップ７０から手を離して上面５００６を上方に向けて本体側ケース５０を把持し、あるいは、上面５００６を上方に向けて本体側ケース５０およびモニタ側ケース６０を把持した時に、ストラップ７０に作用するストラップ７０の自重により、係止壁８０１２に巻装されたストラップ７０部分が上面５００６の延在方向に沿って延在し（右方向に延在し）、係止壁８０１２に巻装されたストラップ７０部分に続く残りのストラップ７０部分が左右側面（右側面５０１２）の外側方で左右側面（右側面５０１２）に沿って下方に垂れ下がるように次のように構成されている。
対向する側部壁面８００６間の寸法および対向する側部壁面８００６のストラップ挿通孔８００４の延在方向に沿った長さは、ストラップ７０の幅方向の両側が側部壁面８００６に当接してストラップ７０を上面５００６の延在方向（右方向）に沿って延在させる寸法で形成され、本実施例ではストラップ７０をストラップ取付部５０１４から右方向で上面５００６の延在方向（右方向）に平行して延在させる寸法で形成されている。
具体的には、対向する側部壁面８００６間の寸法は、ストラップ７０の幅方向の両側が側部壁面８００６に当接してストラップ７０が上面５００６の延在方向（右方向）に沿って延在するように、ストラップ７０の幅よりも僅かに大きい寸法で形成されている。
また、対向する側部壁面８００６のストラップ挿通孔８００４の延在方向に沿った長さは、ストラップ７０の幅方向の両側が側部壁面８００６に当接してストラップ７０が上面５００６の延在方向（右方向）に沿って延在するように、ストラップ７０の幅以上の寸法で形成されている。
【００１９】
また、本実施例では、第２の環状部分７０１０が係止壁８０１２に巻装された状態で図１４、図１５に示すようにストラップ７０を常時右側に位置させるように次のように構成されている。
２つの開口８００２のうち右側の開口８００２のストラップ挿通孔８００４の延在方向に沿った長さは、左側の開口８００２の長さよりも大きな寸法で形成されている。
係止壁８０１２は２つの開口８００２のうち左側の開口８００２寄りに偏位して設けられている。
底部壁面８０１０の左側の端部に、その左側の端部に至るにつれて本体側ケース５０の上面５００６に対して次第に離れるように傾斜する傾斜部８０１４が設けられている。
【００２０】
次に本実施例における撮像装置１００の使用方法について説明する。
撮像装置１００を用いて撮影を行う場合について説明する。
図２（Ｆ）に示すように、予め、モニタ側ケース６０が非使用位置（イ）に位置しているものとする。
ユーザーは、ストラップ７０がぶら下げられた本体側ケース５０を一方の手で保持し、モニタ側ケース６０を他方の手で保持し、図２（Ｇ）に示すように、モニタ側ケース６０を非使用位置（イ）から使用位置（ロ）まで回動させる。
そして、本体側ケース５０の内面５００４をユーザーに向けた状態で本体側ケース５０の下半部を一方の手で把持し、モニタ側ケース６０の第２ケース６４を回動させ表示面１２６Ａをユーザーの方に向ける。
この状態で、撮影光学系１４を被写体に向け、表示面１２６Ａに表示される被写体像を視認しつつシャッターボタン１１０あるいは撮影開始／停止ボタン１１４を操作して撮影を行う。
この際、ユーザーは、第２ケース６４を第２の支軸Ｘ２回りに回動させることで表示面１２６Ａを所望の方向に向けることができる。したがって、撮像装置１００をユーザーの頭部よりも高い位置に保持したハイアングルでの撮影時には表示面１２６Ａを斜め下方に向けることで表示面１２６Ａを容易に視認することができ、撮像装置１００をユーザーの頭部よりも低い位置に保持したローアングルでの撮影時には、表示面１２６Ａを斜め上方に向けることで表示面１２６Ａを容易に視認することができる。
また、第２ケース６４を第２の支軸Ｘ２回りに回動させることで表示面１２６Ａを撮影光学系１４と同一の方向（前方）に向ければ、ユーザーが表示面１２６Ａに表示される自分自身を視認しつつ撮影する、いわゆる自分撮りを行うことができる。
【００２１】
次に、表示面１２６Ａに画像を表示させる場合について説明する。
この場合には、上述したようにモニタ側ケース６０を使用位置（ロ）に位置させた状態で表示面１２６Ａに画像を表示させてもよいし、第２ケース６４を回動させ表示面１２６Ａを本体側ケース５０の内面５００４と反対側に向けた状態でモニタ側ケース６０を非使用位置（イ）に位置させた状態で表示面１２６Ａに画像を表示させてもよい。
【００２２】
次に、撮像装置１００を使用位置（ロ）から非使用位置（イ）にする場合について説明する。
ユーザーは、ストラップ７０がぶら下げられた本体側ケース５０を一方の手で保持し、モニタ側ケース６０の第２ケース６４を他方の手で回動させ表示面１２６Ａを本体側ケース５０の内面５００４に臨ませる。
そして、モニタ側ケース６０を他方の手で非使用位置（イ）から使用位置（ロ）まで回動させる。これにより、本体側ケース５０とモニタ側ケース６０はそれらの輪郭が合致し携帯あるいは収納に適したコンパクトな状態となる。
【００２３】
次に作用効果について説明する。
ストラップ取付部５０１４の対向する側部壁面８００６間の寸法および対向する側部壁面８００６のストラップ挿通孔８００４の延在方向に沿った長さは、ストラップ７０をストラップ取付部５０１４から上面５００６で上面５００６の延在方向に延在させる寸法で形成されているので、図１４、図１５に示すようにストラップ７０は、本体側ケース５０の左側面５０１０または右側面５０１２の外側に位置することになる（本実施例ではストラップ７０は右側面５０１２の外側に位置することになる）。
したがって、ストラップ７０が本体側ケース５０の外面５００２側に垂れ下がって鏡筒１２の前方に位置したり、あるいは、ストラップ７０が本体側ケース５０の内面５００４側に垂れ下がって内面５００４に設けられた前記操作部材の前やモニタ側ケース６０の表示面１２６Ａの前に位置することが確実に防止される。
このため、ストラップ７０が撮影の邪魔になったり、あるいは、モニタ側ケース６０を非使用位置（イ）と使用位置（ロ）との間で揺動させる際の邪魔になることがなく、撮像装置１００の操作性を向上させる上で有利となる。
特に、本実施例では、モニタ側ケース６０が揺動される方向とは反対の方向である右方向にストラップ７０を延在させるように形成されているので、鏡筒１２の前方に位置することを防止できることは無論のこと、モニタ側ケース６０を非使用位置（イ）と使用位置（ロ）との間で揺動させる際の邪魔になることがなく、撮像装置１００の操作性をより一層向上させる上で有利となる。
【実施例２】
【００２４】
次に実施例２について説明する。
実施例２が実施例１と異なる点は、ストラップ取付部５０１４の２つの開口５００２の位置とストラップ挿通孔５００４の形状である。
図１８は実施例２におけるストラップ取付部５０１４の構成を示す斜視図、図１９、図２０は実施例２のストラップ取付部５０１４にストラップ７０が取り付けられた状態を示す図である。以下では実施例１と同様の部分および部材には同一の符号を付して説明する。
【００２５】
ストラップ取付部５０１４は２つの開口８００２を有し、２つの開口８００２のうち左側の開口８００２は、膨出部８０の上面８００１の延在方向の中央に形成され、右側の開口８００２は膨出部８０の上面８００１の延在方向の右側寄りに形成され、２つの開口８００２の間には係止壁８０１２が位置している。
ストラップ挿通孔８００４は、上面５００６の延在方向と直交する方向である上面５００６の幅方向（本体側ケース５０の厚さ方向）において互いに対向する側部壁面８００６と、２つの開口８００２の互いに近づいた縁を接続する上部壁面８００８と、２つの開口８００２の互いに離れた縁を接続する底部壁面８０１０とを有している。
対向する側部壁面８００６はそれぞれ平面で形成され、対向する側部壁面８００６間は、ストラップ挿通孔８００４の延在方向の中央から離れるにつれて、言い換えると、左側の開口８００２から右側の開口８００２に至るにつれて次第に大きくなる寸法で形成されている。
上部壁面８００８と底部壁面８０１０は、側部壁面８００６に直交する面で形成され、左側の開口８００２は上部壁面８００８と両側の側部壁面８００６と底部壁面８０１０とにより矩形に形成され、右側の開口８００２は上部壁面８００８と両側の側部壁面８００６と底部壁面８０１０とにより上面８００１の延在方向の右側に至るにつれて上面８００１の延在方向と直交する方向の幅が次第に大きくなる台形状に形成されている。
【００２６】
実施例２においても実施例１と同様に、第２の環状部分７０１０が係止壁８０１２に巻装された状態で図１９、図２０に示すようにストラップ７０を常時上面５００６の延在方向に沿って延在させるように次のように構成されている。
対向する側部壁面８００６間の寸法および対向する側部壁面８００６のストラップ挿通孔８００４の延在方向に沿った長さは、ストラップ７０の幅方向の両側が側部壁面８００６に当接してストラップ７０を上面５００６の延在方向（右方向）に沿って延在させる寸法で形成され、本実施例ではストラップ７０をストラップ取付部５０１４から右方向で上面５００６の延在方向（右方向）に沿って延在させる寸法で形成されている。
具体的には、対向する側部壁面８００６間の寸法は、係止壁８０１２の部分においてストラップ７０の幅よりも僅かに大きい寸法で形成され、この対向する側部壁面８００６間の寸法は右側に至るにつれて次第に広がり、第２の環状部分７０１０が上面５００６の延在方向に対して平行ではないにしても上面５００６の延在方向に沿って延在し、第２の環状部分７０１０（ストラップ７０）が本体側ケース５０の右側面５０１２の外方に位置するように形成されている。
また、対向する側部壁面８００６のストラップ挿通孔８００４の延在方向に沿った長さは、ストラップ７０の幅方向の両側が側部壁面８００６に当接してストラップ７０が上面５００６の延在方向（右方向）に沿って延在するように、ストラップ７０の幅以上の寸法で形成されている。
【００２７】
また、実施例２においても実施例１と同様に、第２の環状部分７０１０が係止壁８０１２に巻装された状態で図１９、図２０に示すようにストラップ７０を常時右側に位置させるように次のように構成されている。
２つの開口８００２のうち右側の開口８００２のストラップ挿通孔８００４の延在方向に沿った長さは、左側の開口８００２の長さよりも大きな寸法で形成されている。
係止壁８０１２は２つの開口８００２のうち右側の開口８００２寄りに偏位して設けられている。
底部壁面８０１０の左側の端部に、その左側の端部に至るにつれて本体側ケース５０の上面５００６に対して次第に離れる、本実施例では直角に起立する傾斜部８０１４が設けられている。
このような実施例２によっても実施例１と同様に、ストラップ７０が撮影の邪魔になったり、あるいは、モニタ側ケース６０を非使用位置（イ）と使用位置（ロ）との間で揺動させる際の邪魔になることがなく、撮像装置１００の操作性を向上させる上で有利となり、また、モニタ側ケース６０が揺動される方向とは反対の方向である右方向にストラップ７０を延在させるので、鏡筒１２の前方に位置することを防止できることは無論のこと、モニタ側ケース６０を揺動させる際の邪魔になることがなく、撮像装置１００の操作性をより一層向上させる上で有利となる。
【００２８】
なお、各実施例では、ストラップがハンドストラップである場合について説明したが、本発明は、ネックストラップなどその他の種々のストラップに適用可能である。
また、各実施例では、撮像装置として静止画および動画の双方を撮影可能なものを例示したが、静止画および動画のいずれか一方を撮影するものであっても本発明は無論適用可能である。
また、各実施例では、本発明を撮像装置に適用した場合について説明したが、本発明は撮像装置に限定されるものではなくこのような撮像装置を組み込んだカメラ付携帯電話機にも適用可能であることはもちろんである。
【図面の簡単な説明】
【００２９】
【図１】実施例１の撮像装置の構成を示す図である。
【図２】実施例１の撮像装置の構成を示す図である。
【図３】実施例１の撮像装置を斜め前方から見た斜視図である。
【図４】実施例１の撮像装置を斜め前方から見た斜視図である。
【図５】図３を正面から見た正面図である。
【図６】図３を背面から見た背面図である。
【図７】図３を斜め後方から見た斜視図である。
【図８】図３を斜め後方から見た斜視図である。
【図９】モニタ側ケースを回動した状態を示す説明図である。
【図１０】本体側ケース用の第１、第２縁部材の説明図である。
【図１１】モニタ側ケースの斜視図である。
【図１２】撮像装置の制御系を示すブロック図である。
【図１３】ストラップ取付部にストラップを取り付ける際の説明図である。
【図１４】ストラップ取付部にストラップが取り付けられた状態を斜め前方から観た斜視図である。
【図１５】ストラップ取付部にストラップが取り付けられた状態を斜め後方から観た斜視図である。
【図１６】ストラップ取付部の拡大斜視図である。
【図１７】ストラップ取付部の断面図である。
【図１８】実施例２におけるストラップ取付部の構成を示す斜視図である。
【図１９】実施例２のストラップ取付部５０１４にストラップ７０が取り付けられた状態を示す図である。
【図２０】実施例２のストラップ取付部５０１４にストラップ７０が取り付けられた状態を示す図である。
【符号の説明】
【００３０】
１２……レンズ鏡筒、５０……本体側ケース、５００２……外面、５００４……内面、５００６……上面、５０１０……左側面、５０１２……右側面、５０１４……ストラップ取付部、７０……ストラップ、８００２……開口、８００４……ストラップ挿通孔８００６……側部壁面、１００……撮像装置。
【図１】
2006050133.tif 000003
【図２】
2006050133.tif 000004
【図３】
2006050133.tif 000005
【図４】
2006050133.tif 000006
【図５】
2006050133.tif 000007
【図６】
2006050133.tif 000008
【図７】
2006050133.tif 000009
【図８】
2006050133.tif 000010
【図９】
2006050133.tif 000011
【図１０】
2006050133.tif 000012
【図１１】
2006050133.tif 000013
【図１２】
2006050133.tif 000014
【図１３】
2006050133.tif 000015
【図１４】
2006050133.tif 000016
【図１５】
2006050133.tif 000017
【図１６】
2006050133.tif 000018
【図１７】
2006050133.tif 000019
【図１８】
2006050133.tif 000020
【図１９】
2006050133.tif 000021
【図２０】
2006050133.tif 000022